(57)【特許請求の範囲】
【請求項１】
同一の基地局のセルに在圏する複数の携帯端末のうち自端末の周辺に存在する他の携帯端末である周辺端末を認識する周辺端末認識部と、
前記周辺端末認識部により認識された周辺端末および自端末が前記基地局からの着信通知を順番に受信する受信順序を決定する受信順序決定部と、
前記受信順序決定部により決定された受信順序で前記基地局からの着信通知を受信する着信通知受信部と、
前記着信通知受信部により受信された着信通知の着信先が前記周辺端末である場合に、当該着信通知を着信先となる前記周辺端末に対して転送する着信通知転送部と
を備え、
前記受信順序決定部は、前記着信通知受信部により受信された着信通知の着信先が自端末である場合に、前記周辺端末のみが前記基地局からの他の着信通知を順番に受信する受信順序を新たに決定し、新たに決定された受信順序を前記周辺端末に通知することを特徴とする携帯端末。
【請求項２】
前記周辺端末認識部は、周辺に存在しなくなった他の携帯端末である不在端末を前記周辺端末から定期的に除外し、
前記受信順序決定部は、前記周辺端末認識部により前記周辺端末から不在端末が除外された場合に、不在端末の除外後の前記周辺端末および自端末が前記基地局からの着信通知を順番に受信する受信順序を再度決定することを特徴とする請求項１に記載の携帯端末。
【請求項３】
前記着信通知受信部は、前記着信通知を受信する際に、前記基地局のセルに在圏する複数の携帯端末に一斉に送信されるメッセージが前記基地局に配信された旨を報知する報知情報を受信し、
前記着信通知転送部は、前記着信通知受信部により報知情報が受信されると、当該報知情報を前記周辺端末に対して一斉に転送することを特徴とする請求項１または２に記載の携帯端末。
【請求項４】
前記着信通知受信部は、前記報知情報の受信後に前記メッセージをさらに受信し、
前記着信通知転送部は、前記着信通知受信部により前記メッセージが受信されると、前記メッセージを前記周辺端末に対して一斉に転送することを特徴とする請求項３に記載の携帯端末。
【請求項５】
他の携帯端末との間で近距離無線通信を行う近距離無線通信部をさらに備え、
前記周辺端末認識部は、前記近距離無線通信部により行われる近距離無線通信を用いて、前記周辺端末を認識することを特徴とする請求項１〜４のいずれか一つに記載の携帯端末。
【請求項６】
前記着信通知転送部は、前記近距離無線通信部により行われる近距離無線通信を用いて、前記着信通知を前記周辺端末に対して転送することを特徴とする請求項５に記載の携帯端末。
【請求項７】
携帯端末により実行される携帯端末制御方法であって、
同一の基地局のセルに在圏する複数の携帯端末のうち自端末の周辺に存在する他の携帯端末である周辺端末を認識し、
認識された周辺端末および自端末が前記基地局からの着信通知を順番に受信する受信順序を決定し、
決定された受信順序で前記基地局からの着信通知を受信し、
受信された着信通知の着信先が前記周辺端末である場合に、当該着信通知を着信先となる前記周辺端末に対して転送する
ことを含み、
前記受信順序を決定する処理は、受信された着信通知の着信先が自端末である場合に、前記周辺端末のみが前記基地局からの他の着信通知を順番に受信する受信順序を新たに決定し、新たに決定された受信順序を前記周辺端末に通知することを特徴とする携帯端末制御方法。
【請求項８】
携帯端末に、
同一の基地局のセルに在圏する複数の携帯端末のうち自端末の周辺に存在する他の携帯端末である周辺端末を認識し、
認識された周辺端末および自端末が前記基地局からの着信通知を順番に受信する受信順序を決定し、
決定された受信順序で前記基地局からの着信通知を受信し、
受信された着信通知の着信先が前記周辺端末である場合に、当該着信通知を着信先となる前記周辺端末に対して転送する
処理を実行させ、
前記受信順序を決定する処理は、受信された着信通知の着信先が自端末である場合に、前記周辺端末のみが前記基地局からの他の着信通知を順番に受信する受信順序を新たに決定し、新たに決定された受信順序を前記周辺端末に通知することを特徴とする携帯端末制御プログラム。
【発明の詳細な説明】
【技術分野】
【０００１】
本発明は、携帯端末、携帯端末制御方法および携帯端末制御プログラムに関する。
【背景技術】
【０００２】
従来、携帯電話などの携帯端末では、消費電力の低減を図るために、待ち受け中に基地局からの着信通知を間欠的に受信することが行われている。かかる携帯端末は、待ち受け中に予め定められた周期で基地局からの着信通知を受信する。そして、携帯端末は、着信通知を受信すると、受信した着信通知の着信先が自端末であるか否かを判定する。そして、携帯端末は、着信通知の着信先が自端末である場合に、この着信通知に対する応答を基地局へ送出する。これにより、携帯端末と基地局との間のリンクが確立され、携帯端末の利用者は着信通知に対する通話を開始することができる。
【先行技術文献】
【特許文献】
【０００３】
【特許文献１】特開２０００−３４１７５５号公報
【特許文献２】特開２００５−３５４６３４号公報
【発明の概要】
【発明が解決しようとする課題】
【０００４】
ところで、上記した従来技術では、消費電力の低減を図りつつ着信通知を迅速に取得することについては考慮されていない。
【０００５】
すなわち、上記した従来技術では、基地局からの着信通知を受信する周期が一定であり、この周期が到来するたびに、基地局との無線通信を行うための電力が消費される。ここで、消費電力をさらに抑えるためには、基地局からの着信通知を受信する周期を延長することが考えられる。しかしながら、基地局からの着信通知を受信する周期を延長すると、着信通知の受信が遅延して着信通知を迅速に取得することができない恐れがある。すなわち、上記した従来技術では、消費電力の低減を図りつつ着信通知を迅速に取得することが困難である。
【０００６】
開示の技術は、上記に鑑みてなされたものであって、消費電力の低減を図りつつ着信通知を迅速に取得することができる携帯端末、携帯端末制御方法および携帯端末制御プログラムを提供することを目的とする。
【課題を解決するための手段】
【０００７】
本願の開示する携帯端末は、周辺端末認識部と、受信順序決定部と、着信通知受信部と、着信通知転送部とを備える。周辺端末認識部は、同一の基地局のセルに在圏する複数の携帯端末のうち自端末の周辺に存在する他の携帯端末である周辺端末を認識する。受信順序決定部は、前記周辺端末認識部により認識された周辺端末および自端末が前記基地局からの着信通知を順番に受信する受信順序を決定する。着信通知受信部は、前記受信順序決定部により決定された受信順序で前記基地局からの着信通知を受信する。着信通知転送部は、前記着信通知受信部により受信された着信通知の着信先が前記周辺端末である場合に、当該着信通知を着信先となる前記周辺端末に対して転送する。
【発明の効果】
【０００８】
本願の開示する携帯端末の一つの態様によれば、消費電力の低減を図りつつ着信通知を迅速に取得することができる。
【図面の簡単な説明】
【０００９】
【図１】図１は、本実施例に係る携帯端末を含む無線通信システムの構成例を説明するための図である。
【図２】図２は、本実施例に係る携帯端末の構成例を示す図である。
【図３】図３は、端末グループ情報テーブルの一例を示す図である。
【図４】図４は、本実施例に係る携帯端末による着信通知の転送に関するメイン処理の処理手順を示すフローチャートである。
【図５】図５は、本実施例に係る携帯端末のグループ形成処理の処理手順を示すフローチャートである。
【図６】図６は、本実施例に係る携帯端末の周辺端末応答受信処理の処理手順を示すフローチャートである。
【図７】図７は、本実施例に係る携帯端末のグループ受信処理の処理手順を示すフローチャートである。
【図８】図８は、本実施例に係る携帯端末のグループ通知処理の処理手順を示すフローチャートである。
【図９】図９は、本実施例に係る携帯端末のグループ構成変更処理の処理手順を示すフローチャートである。
【図１０】図１０は、電源断・グループ離脱通知の構成例を示す図である。
【図１１】図１１は、周辺端末探索通知の構成例を示す図である。
【図１２】図１２は、周辺端末応答の構成例を示す図である。
【図１３】図１３は、受信順序通知の構成例を示す図である。
【図１４】図１４は、暗号鍵交換通知の構成例を示す図である。
【図１５】図１５は、ＩＭＳＩ交換通知の構成例を示す図である。
【図１６】図１６は、着信通知の構成例を示す図である。
【図１７】図１７は、着信なし通知の構成例を示す図である。
【図１８】図１８は、Ａｃｋ通知の構成例を示す図である。
【図１９】図１９は、本実施例に係る携帯端末の適用例を説明するための図である。
【図２０】図２０は、本実施例に係る携帯端末の適用例を説明するための図である。
【図２１】図２１は、本実施例に係る携帯端末の適用例を説明するための図である。
【図２２】図２２は、本実施例に係る携帯端末の適用例を説明するための図である。
【図２３】図２３は、本実施例に係る携帯端末の適用例を説明するための図である。
【図２４】図２４は、本実施例に係る携帯端末の適用例を説明するための図である。
【図２５】図２５は、携帯端末制御プログラムを実行する携帯端末のハードウェア構成図である。
【発明を実施するための形態】
【００１０】
以下に、本願の開示する携帯端末、携帯端末制御方法および携帯端末制御プログラムの実施例を図面に基づいて詳細に説明する。なお、この実施例によりこの発明が限定されるものではない。
【実施例】
【００１１】
図１は、本実施例に係る携帯端末を含む無線通信システムの構成例を説明するための図である。図１に示すように、本実施例における無線通信システムは、基地局１０と、携帯端末１００ａ〜１００ｎとを含む。
【００１２】
基地局１０は、携帯端末１００ａ〜１００ｎとの間で無線通信を行うための装置であり、無線通信を実行可能な範囲をカバーするセル１０ａを形成している。そして、基地局１０は、セル１０ａに在圏する携帯端末１００ａ〜１００ｎとの間で無線通信を行う。例えば、基地局１０は、上位装置から着信通知を受け取ると、受け取った着信通知を携帯端末１００ａ〜１００ｎに対して転送する。
【００１３】
携帯端末１００ａ〜１００ｎは、同一の基地局１０のセル１０ａに在圏する複数の携帯端末であり、例えば、携帯電話機である。そして、携帯端末１００ａ〜１００ｎは、基地局１０との間で無線通信を行う。例えば、携帯端末１００ａ〜１００ｎは、予め定められた周期で基地局１０からの着信通知を受信する。
【００１４】
本実施例に係る携帯端末１００ａ〜１００ｎは、自端末の周辺に存在する他の携帯端末である周辺端末との間で端末グループを形成する。ここで、端末グループとは、基地局からの着信通知を順番に受信し、受信した着信通知を相互に転送する複数の携帯端末が属するグループを示す。図１に示した例では、携帯端末１００ａ〜１００ｎのうち携帯端末１００ａ〜１００ｃが同一の端末グループを形成するものとする。
【００１５】
ここで、携帯端末１００ａ〜１００ｃが端末グループを形成して着信通知を転送する処理について説明する。なお、図１に示した例では、携帯端末１００ａ〜１００ｃは、相互に近距離の無線通信圏内に存在するものとする。
【００１６】
かかる場合に、携帯端末１００ａは、同一の基地局１０のセル１０ａに在圏する複数の携帯端末１００ａ〜１００ｎのうち自端末（携帯端末１００ａ）の周辺に存在する携帯端末１００ｂ、１００ｃを周辺端末として認識する。これにより、周辺端末である携帯端末１００ｂ、１００ｃと携帯端末１００ａとが属する端末グループが形成される。
【００１７】
例えば、携帯端末１００ａは、近距離無線通信を用いて、携帯端末１００ｂ、１００ｃを周辺端末として認識する。同様に、携帯端末１００ｂは、近距離無線通信を用いて、自端末（携帯端末１００ｂ）の周辺に存在する携帯端末１００ａ、１００ｃを周辺端末として認識する。また、携帯端末１００ｃは、近距離無線通信を用いて、自端末（携帯端末１００ｃ）の周辺に存在する携帯端末１００ａ、１００ｂを周辺端末として認識する。
【００１８】
そして、携帯端末１００ａは、端末グループに属する携帯端末１００ｂ、１００ｃおよび自端末が基地局１０からの着信通知を順番に受信する受信順序を決定する。例えば、携帯端末１００ａは、携帯端末１００ａ、１００ｂ、１００ｃをそれぞれ１番、２番、３番とする受信順序を決定する。なお、決定された受信順序は、端末グループに属する携帯端末１００ａ〜１００ｃの間で共有される。
【００１９】
そして、携帯端末１００ａ〜１００ｃは、決定された受信順序で基地局１０からの着信通知を受信する。例えば、携帯端末１００ａが１番目に基地局１０からの着信通知を受信し、一方で、携帯端末１００ｂ、１００ｃが基地局１０からの着信通知の受信を停止する。次いで、携帯端末１００ｂが２番目に基地局１０からの着信通知を受信し、一方で、携帯端末１００ａ、１００ｃが基地局１０からの着信通知の受信を停止する。次いで、携帯端末１００ｃが３番目に基地局１０からの着信通知を受信し、一方で、携帯端末１００ａ、１００ｂが基地局１０からの着信通知の受信を停止する。
【００２０】
そして、携帯端末１００ａ〜１００ｃは、受信した着信通知の着信先が周辺端末である場合に、着信通知を着信先となる周辺端末に対して転送する。例えば、携帯端末１００ａは、受信した着信通知の着信先が周辺端末としての携帯端末１００ｂである場合に、この着信通知を着信先となる携帯端末１００ｂに対して転送する。
【００２１】
このように、携帯端末１００ａ〜１００ｃは、自端末の周辺に存在する周辺端末を認識し、認識した周辺端末と協働して順番に基地局１０からの着信通知を受信し、着信通知の着信先が周辺端末である場合に、着信通知を着信先となる周辺端末に対して転送する。このため、携帯端末１００ａ〜１００ｃは、周辺端末が基地局１０からの着信通知を受信する際に、自端末による着信通知の受信を停止することができ、基地局との無線通信を行うための電力を低減することができる。また、携帯端末１００ａ〜１００ｃは、受信した着信通知を相互に転送することができることから、着信通知の受信が遅延することもない。つまり、携帯端末１００ａ〜１００ｃは、消費電力の低減を図りつつ着信通知を迅速に取得することができる。
【００２２】
次に、図２を用いて、本実施例に係る携帯端末の構成について説明する。図２は、本実施例に係る携帯端末１００の構成例を示す図である。なお、図２に示した携帯端末１００は、図１に示した携帯端末１００ａ〜１００ｎに対応する。また、図２では、携帯端末１００がＢｌｕｅｔｏｏｔｈ（登録商標）の規格に基づいて、近距離の無線通信を行う例について説明する。図２に示すように、携帯端末１００は、入力部１１０と、出力部１２０と、無線通信部１３０と、近距離無線通信部１４０と、記憶部１５０と、制御部１６０とを有する。
【００２３】
入力部１１０は、各種情報や操作指示を入力するための入力デバイスであり、例えば、数字および文字等を入力するテンキーやタッチパネルなどである。出力部１２０は、各種情報を出力する出力デバイスであり、例えば、液晶ディスプレイやスピーカである。
【００２４】
無線通信部１３０は、基地局１０との間で無線通信を行う。例えば、無線通信部１３０は、Ｗ−ＣＤＭＡ（Wideband Code Division Multiple Access）における通信や通話に関する処理を行うベースバンドプロセッサ等である。
【００２５】
近距離無線通信部１４０は、他の携帯端末との間で定期的に近距離における通信を行う。近距離無線通信部１４０による無線方式は、無線通信部１３０の通信規格よりも消費電力が少ない近距離の通信規格であればいかなる規格であってもよい。例えば、近距離無線通信部１４０は、Ｂｌｕｅｔｏｏｔｈ（登録商標）や、ＲＦＩＤ（Radio Frequency IDentification）などの規格に基づいて、近距離の無線通信を行う。なお、図２に示した例では、近距離無線通信部１４０は、Ｂｌｕｅｔｏｏｔｈの規格に基づいて近距離無線通信を行うものとする。
【００２６】
記憶部１５０は、制御部１６０による各種処理に必要なデータやプログラムを記憶する。図２に示す記憶部１５０は、端末グループ情報テーブル１５１を記憶する。端末グループ情報テーブル１５１は、近距離無線通信部１４０による近距離無線通信によって取得される情報などを記憶する。図３に、端末グループ情報テーブル１５１の一例を示す。図３に示すように、端末グループ情報テーブル１５１は、「受信番号」、「端末ＩＤ」、「製造番号」、「暗号鍵」、「応答フラグ」といった項目を有する。
【００２７】
「受信番号」は、端末グループに属する携帯端末の製造番号が受信された順位であり、「１」が自端末に対応する順位を示し、「２」〜「ｎ」が周辺に存在する携帯端末に対応する順位を示す。「端末ＩＤ」は、端末グループに属する携帯端末の固有の識別子（ＩＭＳＩ：International Mobile Subscriber Identity）を示す。
【００２８】
また、「製造番号」は、端末グループに属する携帯端末の製造番号を示す。また、「暗号鍵」は、ＩＭＳＩの暗号化に用いられる暗号鍵を示す。また、「応答フラグ」は、ＩＭＳＩで識別される携帯端末が端末グループに属するか否かを示すフラグであり、「１」が端末グループに属することを示し、「０」が端末グループに属さないことを示す。
【００２９】
図２の説明に戻って、制御部１６０は、端末グループを形成して着信通知を転送する処理を行う。具体的には、制御部１６０は、周辺端末認識部１６１と、受信順序決定部１６２と、着信通知受信部１６３と、着信通知転送部１６４とを有する。
【００３０】
周辺端末認識部１６１は、同一の基地局１０のセルに在圏する複数の携帯端末のうち携帯端末１００の周辺に存在する他の携帯端末を周辺端末として認識する。具体的には、周辺端末認識部１６１は、近距離無線通信部１４０によって定期的に行われる近距離無線通信を用いて、携帯端末１００の周辺に存在する他の携帯端末を周辺端末として認識する。そして、周辺端末認識部１６１は、認識された周辺端末のＩＭＳＩ、製造番号および暗号鍵（以下「ＩＭＳＩなど」という）を端末グループ情報テーブル１５１に格納する。
【００３１】
また、周辺端末認識部１６１は、携帯端末１００の周辺に存在していた他の携帯端末のうち、周辺に存在しなくなった他の携帯端末を周辺端末から定期的に除外する。具体的には、周辺端末認識部１６１は、近距離無線通信部１４０によって定期的に行われる近距離無線通信を用いて、周辺に存在しなくなった他の携帯端末を不在端末として特定し、特定した不在端末のＩＭＳＩなどを端末グループ情報テーブル１５１から削除する。
【００３２】
受信順序決定部１６２は、端末グループに属する周辺端末および携帯端末１００が基地局１０からの着信通知を順番に受信する受信順序を決定する。具体的には、受信順序決定部１６２は、端末グループ情報テーブル１５１を参照して、受信番号で示される順位が上位である携帯端末から順番に基地局１０からの着信通知を受信する受信順序を決定する。
【００３３】
また、受信順序決定部１６２は、周辺端末認識部１６１により周辺端末から不在端末が除外された場合に、不在端末の除外後の周辺端末および携帯端末１００が基地局１０からの着信通知を順番に受信する受信順序を再決定する。具体的には、受信順序決定部１６２は、端末グループ情報テーブル１５１を定期的に監視する。そして、受信順序決定部１６２は、不在端末が端末グループ情報テーブル１５１から削除されると、不在端末の削除された更新後の端末グループ情報テーブル１５１を参照する。そして、受信順序決定部１６２は、更新後の端末グループ情報テーブル１５１における受信番号で示される順位が上位である携帯端末から順番に基地局１０からの着信通知を受信する受信順序を再決定する。
【００３４】
着信通知受信部１６３は、受信順序決定部１６２により決定された受信順序で基地局１０からの着信通知を受信する。具体的には、着信通知受信部１６３は、携帯端末１００のＩＭＳＩに対応する受信順番が受信順序決定部１６２により決定された受信順序と一致する場合に、基地局１０からの着信通知を無線通信部１３０を介して受信する。一方、着信通知受信部１６３は、携帯端末１００のＩＭＳＩに対応する受信順番が受信順序決定部１６２により決定された受信順序と一致しない場合には、基地局１０からの着信通知の受信を停止する。なお、この場合には、着信通知受信部１６３は、近距離無線通信部１４０によって定期的に行われる近距離無線通信を用いて、周辺端末から送信される各種の通知を受信する。
【００３５】
また、着信通知受信部１６３は、基地局１０からの着信通知を受信する際に、緊急性を示すメッセージが基地局１０に配信された旨を報知する報知情報を受信する。ここで、緊急性を示すメッセージは、基地局１０のセルに在圏する複数の携帯端末に一斉に送信されるメッセージを指す。例えば、緊急性を示すメッセージは、災害の発生時に気象庁のＣＢＣ（Cell Broadcast Center）から基地局を介して複数の携帯端末に一斉に送信されるＣＢＳ（Cell Broadcast Service）メッセージやＥＴＷＳ（Earthquake and Tsunami Warning System）メッセージである。また、報知情報は、緊急性を示すメッセージがＣＢＳメッセージである場合には、ＢＣＣＨ  Ｍｏｄｉｆｉｃａｔｉｏｎ情報を指す。また、報知情報は、緊急性を示すメッセージがＥＴＷＳメッセージである場合には、Ｐｒｉｍａｒｙ  Ｎｏｔｉｆｉｃａｔｉｏｎ情報を指す。
【００３６】
着信通知転送部１６４は、着信通知受信部１６３により受信された着信通知の着信先が周辺端末である場合に、着信通知を着信先となる周辺端末に対して転送する。具体的には、着信通知転送部１６４は、端末グループ情報テーブル１５１を参照して、着信先となる周辺端末を探索する。そして、着信通知転送部１６４は、近距離無線通信部１４０により行われる近距離無線通信を用いて、着信通知を着信先となる周辺端末に対して転送する。
【００３７】
また、着信通知転送部１６４は、着信通知受信部１６３により報知情報が受信されると、受信された報知情報を周辺端末に対して一斉に転送する。
【００３８】
なお、図２に示した制御部１６０における周辺端末認識部１６１、受信順序決定部１６２、着信通知受信部１６３および着信通知転送部１６４は、集積装置や電子回路に対応する。集積装置は、例えば、ＡＳＩＣ（Application Specific Integrated Circuit）やＦＰＧＡ（Field Programmable Gate Array）等の集積装置である。電子回路は、例えば、ＣＰＵ（Central Processing Unit）やＭＰＵ（Micro Processing Unit）等の電子回路である。
【００３９】
また、図２に示した記憶部１５０における端末グループ情報テーブル１５１は、半導体メモリ素子や記憶装置に対応する。半導体メモリ素子は、例えば、ＲＡＭ（Random Access Memory）、ＲＯＭ（Read Only Memory）、フラッシュメモリ（Flash Memory）等の半導体メモリ素子である。記憶装置は、ハードディスク、光ディスクなどの記憶装置である。
【００４０】
次に、図４〜図９を用いて、本実施例に係る携帯端末１００による処理手順について説明する。図４は、本実施例に係る携帯端末１００による着信通知の転送に関するメイン処理の処理手順を示すフローチャートである。
【００４１】
図４に示すように、携帯端末１００は、電源がＯＮとなるまで待機する（ステップＳ１０１否定）。電源がＯＮとなると（ステップＳ１０１肯定）、携帯端末１００の制御部１６０は、間欠受信（ＤＲＸ：Discontinuous Receive）カウンタに任意の値を設定する（ステップＳ１０２）。なお、ＤＲＸカウンタは、携帯端末１００が基地局１０からの着信通知を予め定められたＤＲＸ周期で間欠受信する回数を示す。
【００４２】
そして、制御部１６０は、グループモードフラグに初期値として「０」を設定する（ステップＳ１０３）。なお、グループモードフラグは、携帯端末１００が端末グループに属するか否かを示すフラグである。携帯端末１００が端末グループに属さない場合には、グループモードフラグに「０」が設定され、携帯端末１００が端末グループに属する場合に端末グループに属する全ての携帯端末数が設定される。
【００４３】
そして、無線通信部１３０は、基地局１０からの報知情報を受信したり、基地局１０に対する位置登録要求を送信したりして、基地局１０との通信を行うための準備を行う（ステップＳ１０４）。
【００４４】
そして、制御部１６０は、携帯端末１００が端末グループに属しているか否かを判定する（ステップＳ１０５）。具体的には、制御部１６０は、グループモードフラグが「０」である場合に、携帯端末１００が端末グループに属していないと判定し、グループモードフラグが「０」でない場合に、携帯端末１００が端末グループに属していると判定する。
【００４５】
そして、無線通信部１３０は、携帯端末１００が端末グループに属していない場合には（ステップＳ１０５否定）、間欠受信を行い、基地局１０からの着信通知を受信する（ステップＳ１０６）。その結果、無線通信部１３０は、圏外である場合には（ステップＳ１０７肯定）、処理をステップＳ１０４に戻す。一方、無線通信部１３０は、圏外でない場合には（ステップＳ１０７否定）、処理をステップＳ１０８のグループ形成処理に移行する。なお、このグループ形成処理は、図５に示す処理であり、後述する。
【００４６】
ステップＳ１０８の処理を終えると、制御部１６０は、ユーザの操作を入力部１１０から受け付け（ステップＳ１１０）、電源がＯＦＦでなければ（ステップＳ１１１否定）、処理をステップＳ１０５に戻す。一方、制御部１６０は、電源がＯＦＦであれば（ステップＳ１１１肯定）、近距離無線通信部１４０を用いて電源断・グループ離脱通知を送出し（ステップＳ１１２）、メイン処理を終了する。電源断・グループ離脱通知は、携帯端末１００が端末グループを離脱する旨を端末グループに属する複数の携帯端末に対して報知するための通知である。
【００４７】
図１０は、電源断・グループ離脱通知の構成例を示す図である。図１０に示すように、電源断・グループ離脱通知は、ヘッダと端末ＩＭＳＩとを含む。端末ＩＭＳＩには、電源がＯＦＦとなった携帯端末１００のＩＭＳＩが格納される。
【００４８】
図４に戻って、無線通信部１３０は、携帯端末１００が端末グループに属する場合には（ステップＳ１０５肯定）、処理をステップＳ１０９のグループ受信処理に移行する。なお、グループ受信処理は、図７に示す処理であり、後述する。ステップＳ１０９の処理を終えると、制御部１６０は、処理をステップＳ１１０に移行する。
【００４９】
続いて、図４に示したステップＳ１０８のグループ形成処理について、図５を参照して具体的に説明する。図５は、本実施例に係る携帯端末１００のグループ形成処理の処理手順を示すフローチャートである。図５に示すように、グループ形成処理を開始すると、制御部１６０は、ＤＲＸカウンタをデクリメントし（ステップＳ２０１）、ＤＲＸカウンタが「０」であるか否かを判定する（ステップＳ２０２）。
【００５０】
そして、周辺端末認識部１６１は、ＤＲＸカウンタが「０」である場合には（ステップＳ２０２肯定）、近距離無線通信部１４０により行われる近距離無線通信を用いて、周辺端末探索通知を送信する（ステップＳ２０３）。周辺端末探索通知は、携帯端末１００の周辺に存在する他の携帯端末である周辺端末を探索するための通知である。
【００５１】
図１１は、周辺端末探索通知の構成例を示す図である。図１１に示すように、周辺端末探索通知は、ヘッダとマスタ端末製造番号と基地局情報とを含む。マスタ端末製造番号には、携帯端末１００の製造番号が格納される。基地局情報には、基地局１０のＩＤや携帯端末１００が在圏するセルの識別番号などが含まれる。
【００５２】
図５に戻って、周辺端末通知を送信した周辺端末認識部１６１は、ステップＳ２０４の周辺端末応答処理を実行する。なお、周辺端末応答処理は、図６に示す処理であり、後述する。
【００５３】
ステップＳ２０４の処理を終えると、受信順序決定部１６２は、周辺端末通知に対する周辺端末応答を受信したか否かを判定する（ステップＳ２０５）。すなわち、受信順序決定部１６２は、端末グループ情報テーブル１５１を参照して、応答フラグが「１」である携帯端末が存在する場合には、周辺端末応答を受信したと判定する。一方、受信順序決定部１６２は、応答フラグが「１」である携帯端末が存在しない場合には、周辺端末応答を受信していないと判定する。周辺端末応答は、携帯端末１００からの周辺端末探索通知を受信した他の携帯端末が携帯端末１００に対して応答するための通知である。
【００５４】
図１２は、周辺端末応答の構成例を示す図である。図１２に示すように、周辺端末応答は、ヘッダとマスタ端末製造番号と応答端末製造番号とを含む。マスタ端末製造番号には、携帯端末１００の製造番号が格納される。応答端末製造番号には、携帯端末１００からの周辺端末探索応答を受信した他の携帯端末の製造番号が格納される。
【００５５】
図５に戻って、受信順序決定部１６２は、周辺端末応答を受信していない場合には（ステップＳ２０５否定）、ＤＲＸカウンタに任意の値を設定し（ステップＳ２０６）、グループ形成処理を終了する。
【００５６】
一方、受信順序決定部１６２は、周辺端末応答を受信した場合には（ステップＳ２０５肯定）、端末グループ情報テーブル１５１を参照して、受信順序通知を生成する（ステップＳ２０７）。受信順序通知は、端末グループに属する周辺端末および携帯端末１００が基地局１０からの着信通知を順番に受信する受信順序を周辺端末に割り当てるための通知である。
【００５７】
図１３は、受信順序通知の構成例を示す図である。図１３に示すように、受信順序通知は、ヘッダと端末数と受信順番と端末ＩＭＳＩとを含む。端末数には、端末グループに属する周辺端末および携帯端末１００を含む携帯端末の総数が格納される。受信順番には、端末グループに属する周辺端末および携帯端末１００が基地局１０からの着信通知を順番に受信する受信順序を示す順番が格納される。端末ＩＭＳＩには、端末グループに属する周辺端末および携帯端末１００のＩＭＳＩが格納される。
【００５８】
ここで、受信順序決定部１６２が受信順序通知を生成する処理を図１３を用いて簡単に説明する。受信順序決定部１６２は、端末グループ情報テーブル１５１を参照して、受信番号で示される順位が上位である携帯端末から順番に受信番号および端末ＩＭＳＩを読み出して、図１３に示した受信順序通知の対応する受信番号および端末ＩＭＳＩに格納する。さらに、受信順序決定部１６２は、端末グループ情報テーブル１５１に含まれる端末ＩＭＳＩの総数を計数して図１３に示した受信順序通知の端末数に格納する。このようにして、受信順序通知が生成される。
【００５９】
図５に戻って、受信順序通知を生成した受信順序決定部１６２は、近距離無線通信部１４０により行われる近距離無線通信を用いて、受信順序通知を周辺端末に対して送信する（ステップＳ２０８）。そして、受信順序決定部１６２は、端末グループに属する全ての携帯端末数をグループモードフラグに設定し（ステップＳ２０９）、処理をステップＳ２１８に進める。
【００６０】
一方、周辺端末認識部１６１は、ＤＲＸカウンタが「０」でない場合には（ステップＳ２０２否定）、近距離無線通信部１４０により行われる近距離無線通信を用いて、周辺に存在する他の携帯端末から周辺端末探索通知を受信する。そして、周辺端末認識部１６１は、周辺端末探索通知を受信しなかった場合には（ステップＳ２１０否定）、グループ形成処理を終了する。
【００６１】
一方、周辺端末認識部１６１は、周辺端末探索通知を受信した場合には（ステップＳ２１０肯定）、近距離無線通信部１４０により行われる近距離無線通信を用いて、周辺端末応答を他の携帯端末に対して送信する（ステップＳ２１１）。そして、周辺端末認識部１６１は、他の携帯端末との間で暗号鍵交換通知を送受信する（ステップＳ２１２）。暗号鍵交換通知は、携帯端末１００が自身のＩＭＳＩの暗号化に用いられる暗号鍵を他の携帯端末と交換するための通知である。
【００６２】
図１４は、暗号鍵交換通知の構成例を示す図である。図１４に示すように、暗号鍵交換通知は、ヘッダと通知先端末製造番号と暗号鍵とを含む。通知先端末製造番号には、暗号鍵を交換する対象となる他の携帯端末の製造番号が格納される。暗号鍵には、携帯端末１００のＩＭＳＩを暗号化するための暗号鍵が格納される。
【００６３】
図５に戻って、周辺端末認識部１６１は、他の携帯端末との間でＩＭＳＩ交換通知を送受信する（ステップＳ２１３）。ＩＭＳＩ交換通知は、他の携帯端末との間でＩＭＳＩを交換するための通知である。
【００６４】
図１５は、ＩＭＳＩ交換通知の構成例を示す図である。図１５に示すように、ＩＭＳＩ交換通知は、ヘッダとマスタ端末ＩＭＳＩとスレーブ端末ＩＭＳＩとを含む。マスタ端末ＩＭＳＩには、マスターモードとなった携帯端末１００のＩＭＳＩが格納される。スレーブ端末ＩＭＳＩには、スレーブモードとなった携帯端末１００のＩＭＳＩが格納される。
【００６５】
図５に戻って、周辺端末認識部１６１は、受信順序通知を受信し（ステップＳ２１４）、受信した受信順序通知に含まれるＩＭＳＩなどを端末グループ情報テーブル１５１に格納する（ステップＳ２１５）。そして、周辺端末認識部１６１は、端末グループに属する全ての携帯端末数をグループモードフラグに設定する（ステップＳ２１６）。
【００６６】
そして、受信順序決定部１６２は、端末グループ情報テーブル１５１の最上位の受信番号を初期値として受信順番カウンタに設定する（ステップＳ２１７）。なお、受信順番カウンタは、端末グループに属する携帯端末のうち今回の間欠受信を行う携帯端末の受信順番を示す値である。
【００６７】
そして、受信順序決定部１６２は、端末グループ情報テーブル１５１を参照して、携帯端末１００のＩＭＳＩに対応する受信順番を抽出して自端末順位メモリに格納し（ステップＳ２１８）、グループ形成処理を終了する。なお、自端末順位メモリは、端末グループに属する携帯端末１００が間欠受信を行う受信順番を記憶するためのメモリである。
【００６８】
続いて、図５のステップＳ２０４の周辺端末応答受信処理について、図６を参照して具体的に説明する。図６は、本実施例に係る携帯端末１００の周辺端末応答受信処理の処理手順を示すフローチャートである。図６に示すように、周辺端末応答受信処理を開始すると、周辺端末認識部１６１は、周辺端末カウンタに初期値「０」を設定する（ステップＳ３０１）。なお、周辺端末カウンタは、携帯端末１００の周辺に存在する他の携帯端末を計数するために用いられるカウンタ値を示す。
【００６９】
そして、周辺端末認識部１６１は、周辺端末応答を受信した場合には（ステップＳ３０２肯定）、周辺端末カウンタをインクリメントする（ステップＳ３０３）。そして、周辺端末認識部１６１は、受信した周辺端末探索応答に含まれる他の携帯端末の製造番号を端末グループ情報テーブル１５１に格納する（ステップＳ３０４）。そして、周辺端末認識部１６１は、対応する応答フラグに、端末グループに属することを示す「１」を設定し（ステップＳ３０５）、処理をステップＳ３０２に戻す。
【００７０】
一方、周辺端末認識部１６１は、周辺端末応答を受信しなかった場合には（ステップＳ３０２否定）、前回周辺端末応答を受信した時点から２００ｍｓｅｃが経過したか否かを判定する（ステップＳ３０６）。周辺端末認識部１６１は、前回周辺端末応答を受信した時点から２００ｍｓｅｃが経過してない場合には（ステップＳ３０６否定）、処理をステップＳ３０２に戻す。
【００７１】
一方、周辺端末認識部１６１は、前回周辺端末応答を受信した時点から２００ｍｓｅｃが経過した場合には（ステップＳ３０６肯定）、端末グループ情報テーブル１５１を参照して、他の携帯端末との間で暗号鍵交換通知を送受信する（ステップＳ３０７）。そして、周辺端末認識部１６１は、他の携帯端末との間でＩＭＳＩ交換通知を送受信する（ステップＳ３０８）。
【００７２】
そして、周辺端末認識部１６１は、他の携帯端末との間で交換したＩＭＳＩに基づいて、他の携帯端末の受信タイミングを算出する（ステップＳ３０９）。なお、受信タイミングとは、携帯端末が基地局からの着信通知を受信するタイミングを指す。
【００７３】
ここで、周辺端末認識部１６１が受信タイミングを算出する処理について説明する。本実施例における周辺端末認識部１６１は、他の携帯端末との間で交換したＩＭＳＩに基づいて、ページングチャネルおよびページング機会を受信タイミングとして算出する。ページングチャネルは、以下の式（１）により算出される。ページング機会は、以下の式（２）により算出される。
【００７４】
ページングチャネル＝ＩＭＳＩ  ｍｏｄ  Ｋ  ・・・  （１）
ただし、Ｋは、他の携帯端末が在圏するセルにおいて送信されているページングチャネルの本数である。
【００７５】
ページング機会＝｛（ＩＭＳＩ／Ｋ）  ｍｏｄ  （ＤＲＸ周期／ＰＢＰ）｝×ＰＢＰ
＋ｎ×ＤＲＸ周期＋フレームオフセット  ・・・  （２）
ただし、ｎ＝０、１、…、４０９５である。ＤＲＸ周期は、無線フレーム単位で規定される間欠受信間隔（ＤＲＸ間隔）である。ＰＢＰは、呼び出しブロック周期（Paging Block Periodicity）である。
【００７６】
そして、周辺端末認識部１６１は、携帯端末１００の受信タイミングと他の携帯端末の受信タイミングとが一致するか否かを判定する（ステップＳ３１０）。周辺端末認識部１６１は、携帯端末１００の受信タイミングと他の携帯端末の受信タイミングとが一致しない場合には（ステップＳ３１０否定）、処理をステップＳ３１２へ進める。一方、周辺端末認識部１６１は、携帯端末１００の受信タイミングと他の携帯端末の受信タイミングとが一致する場合には（ステップＳ３１０肯定）、ＩＭＳＩ交換通知に含まれる他の携帯端末のＩＭＳＩを端末グループ情報テーブル１５１に格納する（ステップＳ３１１）。
【００７７】
そして、周辺端末認識部１６１は、周辺端末カウンタをデクリメントし（ステップＳ３１２）、周辺端末カウンタが「０」となったか否かを判定する（ステップＳ３１３）。周辺端末認識部１６１は、周辺端末カウンタが「０」となっていない場合には（ステップＳ３１３否定）、処理をステップＳ３０７に戻す。一方、周辺端末認識部１６１は、周辺端末カウンタが「０」となった場合には（ステップＳ３１３肯定）、周辺端末応答受信処理を終了する。
【００７８】
続いて、図４のステップＳ１０９のグループ受信処理について、図７を参照して具体的に説明する。図７は、本実施例に係る携帯端末１００のグループ受信処理の処理手順を示すフローチャートである。
【００７９】
図７に示すように、グループ受信処理を開始すると、着信通知受信部１６３は、受信順番カウンタが自端末順位メモリに格納された携帯端末１００の受信順番と一致するか否かを判定する（ステップＳ４０１）。着信通知受信部１６３は、受信順番カウンタが自端末順位メモリに格納された携帯端末１００の受信順番と一致する場合には（ステップＳ４０１肯定）、間欠受信を行い、基地局１０からの着信通知を無線通信部１３０を介して受信する（ステップＳ４０２）。そして、着信通知受信部１６３は、処理をステップＳ４０３のグループ通知処理に移行する。なお、このグループ通知処理は、図８に示す処理であり、後述する。
【００８０】
ステップＳ４０３の処理を終えると、周辺端末認識部１６１は、端末グループ情報テーブル１５１を参照して、端末グループの構成が変更されたか否かを判定する（ステップＳ４０４）。具体的には、周辺端末認識部１６１は、端末グループ情報テーブルを参照して、応答フラグが「０」である携帯端末が少なくとも一つ存在する場合に、端末グループの構成が変更されたと判定する。一方、周辺端末認識部１６１は、応答フラグが「０」である携帯端末が存在しない場合に、端末グループの構成が変更されていないと判定する。
【００８１】
そして、周辺端末認識部１６１は、端末グループの構成が変更された場合には（ステップＳ４０４肯定）、処理をステップＳ４０５のグループ構成変更処理に移行する。なお、このグループ構成変更処理は、図９に示す処理であり、後述する。一方、周辺端末認識部１６１は、端末グループの構成が変更されていない場合には（ステップＳ４０４否定）、グループ受信処理を終了する。
【００８２】
一方、制御部１６０は、受信順番カウンタが自端末順位メモリに格納された携帯端末１００の受信順番と一致しない場合には（ステップＳ４０１否定）、近距離無線通信部１４０により行われる近距離無線通信を用いて各種の通知を受信する（ステップＳ４０６）。
【００８３】
そして、制御部１６０は、近距離無線通信部１４０を介して周辺端末から報知情報を受信した場合には（ステップＳ４０９肯定）、基地局１０に配信された緊急性を示すメッセージを受信するためのメッセージ受信処理を行う（ステップＳ４０７）。例えば、基地局１０に配信された緊急性を示すメッセージがＣＢＳメッセージである場合には、制御部１６０は、近距離無線通信部１４０を介して周辺端末から報知情報としてのＢＣＣＨ  Ｍｏｄｉｆｉｃａｔｉｏｎ情報を受信する。そして、制御部１６０は、基地局１０によりＣＴＣＨ（Common Traffic Channel）上に送信されるＣＢＳメッセージを無線通信部１３０を介して受信する。
【００８４】
また、例えば、基地局１０に配信された緊急性を示すメッセージがＥＴＷＳメッセージである場合には、制御部１６０は、近距離無線通信部１４０を介して周辺端末から報知情報としてのＰｒｉｍａｒｙ  Ｎｏｔｉｆｉｃａｔｉｏｎ情報を受信する。そして、制御部１６０は、基地局１０によりＣＴＣＨ上に送信されるＥＴＷＳメッセージを無線通信部１３０を介して受信する。
【００８５】
そして、制御部１６０は、グループモードフラグを初期化し（ステップＳ４０８）、グループ受信処理を終了する。
【００８６】
一方、制御部１６０は、近距離無線通信部１４０を介して周辺端末から着信通知を受信した場合には（ステップＳ４０９否定、ステップＳ４１０肯定）、着信処理を実行する（ステップＳ４１１）。具体的には、制御部１６０は受信した着信通知に対する応答を、着信通知を受信した時点から所定時間（例えば、３００ｓｅｃ）以内に基地局１０へ送出する。これにより、携帯端末１００と基地局１０との間のリンクが確立される。なお、着信通知は、基地局１０からの着信通知の着信先となる周辺端末に対して当該着信通知を転送するための通知である。
【００８７】
図１６は、着信通知の構成例を示す図である。図１６に示すように、着信通知は、ヘッダと着信端末ＩＭＳＩと受信レベルとを含む。着信端末ＩＭＳＩには、基地局１０からの着信通知の着信先となる周辺端末のＩＭＳＩが格納される。受信レベルには、基地局１０から発せられる電波の受信レベルが格納される。
【００８８】
図７に戻って、制御部１６０は、着信処理を実行すると、グループモードフラグを初期化し（ステップＳ４０８）、グループ受信処理を終了する。
【００８９】
一方、制御部１６０は、近距離無線通信部１４０を介して周辺端末から電源断・グループ離脱通知を受信した場合には（ステップＳ４１０否定、ステップＳ４１２肯定）、処理をステップＳ４１６に移行する。
【００９０】
また、制御部１６０は、近距離無線通信部１４０を介して周辺端末から着信なし通知を受信した場合には（ステップＳ４１３肯定）、周辺端末に対してＡｃｋ通知を送信する（ステップＳ４１４）。着信なし通知は、基地局１０からの着信通知がなかった場合に周辺端末に対してその旨を報知するための通知である。Ａｃｋ通知は、周辺端末が着信なし通知に対して応答するための通知である。
【００９１】
図１７は、着信なし通知の構成例を示す図である。図１７に示すように、着信なし通知は、ヘッダとマスタ端末ＩＭＳＩと受信レベルと電界フラグとを含む。マスタ端末ＩＭＳＩには、マスターモードとなった他の携帯端末のＩＭＳＩが格納される。受信レベルには、基地局１０から発せられる電波の受信レベルが格納される。電界フラグには、受信レベルが閾値より大きい場合に電波の受信レベルが正常である旨を示す「１」が格納され、受信レベルが閾値以下である場合に電波の受信レベルが異常である旨を示す「０」が格納される。
【００９２】
図１８は、Ａｃｋ通知の構成例を示す図である。図１８に示すように、Ａｃｋ通知は、ヘッダとマスタ端末ＩＭＳＩとスレーブ端末ＩＭＳＩとを含む。マスタ端末ＩＭＳＩには、マスターモードとなった携帯端末１００のＩＭＳＩが格納される。スレーブ端末ＩＭＳＩには、スレーブモードとなった携帯端末１００のＩＭＳＩが格納される。
【００９３】
図７に戻って、制御部１６０は、着信なし通知を受信後にＡｃｋ通知を送信すると、受信した着信なし通知の電界フラグが「１」であるか否かを判定する（ステップＳ４１５）。制御部１６０は、着信なし通知の電界フラグが「１」である場合には（ステップＳ４１５肯定）、処理をステップＳ４１６に移行する。一方、制御部１６０は、着信なし通知の電界フラグが「０」である場合には（ステップＳ４１５否定）、グループモードフラグを初期化し（ステップＳ４０８）、グループ受信処理を終了する。
【００９４】
ステップＳ４１６において、制御部１６０は、近距離無線通信部１４０を介して受信順序通知を受信したか否かを判定する（ステップＳ４１６）。制御部１６０は、受信順序通知を受信していない場合には（ステップＳ４１６否定）、処理をステップＳ４１９へ進める。一方、制御部１６０は、受信順序通知を受信した場合には（ステップＳ４１６肯定）、受信した受信順序通知に含まれるＩＭＳＩなどを端末グループ情報テーブル１５１に格納して、端末グループ情報テーブル１５１を更新する（ステップＳ４１７）。そして、受信順序決定部１６２は、端末グループ情報テーブル１５１を参照して、携帯端末１００のＩＭＳＩに対応する受信順番を抽出して自端末順位メモリに格納し、自端末順位メモリを更新する（ステップＳ４１８）。
【００９５】
そして、制御部１６０は、受信順番カウンタをインクリメントし（ステップＳ４１９）、受信順番カウンタが端末グループに属する全ての携帯端末数以上となったか否かを判定する（ステップＳ４２０）。制御部１６０は、受信順番カウンタが端末グループに属する全ての携帯端末数以上となった場合には（ステップＳ４２０肯定）、端末グループ情報テーブルの最上位の受信順番を受信順番カウンタに設定し（ステップＳ４２１）、グループ受信処理を終了する。一方、制御部１６０は、受信順番カウンタが端末グループに属する全ての携帯端末数未満である場合には（ステップＳ４２０否定）、そのままグループ受信処理を終了する。
【００９６】
続いて、図７に示したステップＳ４０３のグループ通知処理について、図８を参照して具体的に説明する。図８は、本実施例に係る携帯端末１００のグループ通知処理の処理手順を示すフローチャートである。図８に示すように、グループ通知処理を開始すると、着信通知受信部１６３は、無線通信部１３０を介して報知情報を受信する（ステップＳ５０１）。例えば、緊急性を示すメッセージとしてＣＢＳメッセージが基地局１０に配信されている場合には、着信通知受信部１６３は、無線通信部１３０を介してＢＣＣＨ  Ｍｏｄｉｆｉｃａｔｉｏｎ情報を受信する。また、例えば、緊急性を示すメッセージとしてＥＴＷＳメッセージが基地局１０に配信されている場合には、着信通知受信部１６３は、無線通信部１３０を介してＰｒｉｍａｒｙ  Ｎｏｔｉｆｉｃａｔｉｏｎ情報を受信する。
【００９７】
そして、着信通知転送部１６４は、着信通知受信部１６３により報知情報が受信された場合には（ステップＳ５０２肯定）、受信された報知情報を端末グループ情報テーブル１５１に格納された周辺端末に対して一斉に転送する（ステップＳ５０３）。そして、制御部１６０は、基地局１０に配信された緊急性を示すメッセージを受信するためのメッセージ受信処理を行い（ステップＳ５０４）、処理をステップＳ５０５に進める。
【００９８】
一方、着信通知転送部１６４は、着信通知受信部１６３により報知情報が受信されなかった場合には（ステップＳ５０２否定）、着信通知受信部１６３により基地局１０からの着信通知が受信されたか否かを判定する（ステップＳ５０５）。
【００９９】
そして、着信通知転送部１６４は、着信通知受信部１６３により基地局１０からの着信通知が受信されなかった場合には（ステップＳ５０５否定）、基地局１０からの電波の受信レベルを測定する（ステップＳ５０６）。そして、着信通知転送部１６４は、受信レベルが閾値よりも大きい場合に（ステップＳ５０７肯定）、正常を示す「１」が電界フラグに設定された着信なし通知を、端末グループ情報テーブル１５１に格納された周辺端末に対して送信する（ステップＳ５０８）。その後、着信通知転送部１６４は、処理をステップＳ５１９に進める。一方、着信通知転送部１６４は、受信レベルが閾値以下である場合に（ステップＳ５０７否定）、異常を示す「０」が電界フラグに設定された着信なし通知を、端末グループ情報テーブル１５１に格納された周辺端末に対して送信する（ステップＳ５０９）。その後、着信通知転送部１６４は、グループモードフラグを初期化し（ステップＳ５１０）、処理をステップＳ５１９に進める。
【０１００】
一方、着信通知転送部１６４は、着信通知受信部１６３により基地局１０からの着信通知が受信された場合には（ステップＳ５０５肯定）、受信された着信通知の着信先が周辺端末であるか否かを判定する（ステップＳ５１１）。具体的には、着信通知転送部１６４は、着信通知の着信先である携帯端末のＩＭＳＩが端末グループ情報テーブル１５１に格納された周辺端末のＩＭＳＩと一致する場合に、着信通知の着信先が周辺端末であると判定する。一方、着信通知転送部１６４は、着信通知の着信先である携帯端末のＩＭＳＩが端末グループ情報テーブル１５１に格納された携帯端末１００のＩＭＳＩと一致する場合に、着信通知の着信先が周辺端末でないと判定する。
【０１０１】
そして、着信通知転送部１６４は、着信通知の着信先が周辺端末である場合には（ステップＳ５１１肯定）、着信通知を着信先となる周辺端末に対して転送する（ステップＳ５１２）。具体的には、着信通知転送部１６４は、近距離無線通信部１４０により行われる近距離無線通信を用いて、着信通知を着信先となる周辺端末に対して転送する。そして、着信通知転送部１６４は、端末グループ情報テーブル１５１を参照して、着信先となった周辺端末に対応する応答フラグに「０」を設定し（ステップＳ５１３）、他の周辺端末に対して着信なし通知を送信する（ステップＳ５１８）。
【０１０２】
一方、着信通知転送部１６４は、着信通知の着信先が周辺端末でない場合には（ステップＳ５１１否定）、すなわち、着信通知の着信先が自端末である場合には、着信処理を実行する（ステップＳ５１４）。そして、着信通知転送部１６４は、周辺端末に対してグループ離脱通知を送信する（ステップＳ５１５）。そして、着信通知転送部１６４は、端末グループ情報テーブル１５１を参照して、携帯端末１００に対応する応答フラグに「０」を設定し（ステップＳ５１６）、グループモードフラグを初期化し（ステップＳ５１７）、処理をステップＳ５１８に進める。
【０１０３】
ステップＳ５１９において、周辺端末認識部１６１は、近距離無線通信部１４０を介して周辺端末からのＡｃｋ通知を受信する（ステップＳ５１９）。そして、周辺端末認識部１６１は、端末グループ情報テーブル１５１を参照して、Ａｃｋ通知を受信した周辺端末に対応する応答フラグに「１」を設定し（ステップＳ５２０）、グループ通知処理を終了する。
【０１０４】
続いて、図７に示したステップＳ４０５のグループ構成変更処理について、図９を参照して具体的に説明する。図９は、本実施例に係る携帯端末１００のグループ構成変更処理の処理手順を示すフローチャートである。
【０１０５】
図９に示すように、グループ構成変更処理を開始すると、周辺端末認識部１６１は、応答フラグが「０」であるＩＭＳＩなどを端末グループ情報テーブル１５１から削除する（ステップＳ６０１）。そして、周辺端末認識部１６１は、端末グループ情報テーブル１５１を参照して、端末グループに属する全ての携帯端末数をグループモードフラグに再設定する（ステップＳ６０２）。そして、周辺端末認識部１６１は、端末グループ情報テーブル１５１を参照して、受信順序通知を再生成する（ステップＳ６０３）。そして、周辺端末認識部１６１は、近距離無線通信部１４０により行われる近距離無線通信を用いて、受信順序通知を周辺端末に対して再送信し（ステップＳ６０４）、グループ構成変更処理を終了する。
【０１０６】
次に、図１９〜図２４を用いて、本実施例に係る携帯端末の適用例について説明する。図１９〜図２４は、本実施例に係る携帯端末の適用例を説明するための図である。なお、図１９〜図２２では、図１に示した携帯端末１００ａ〜１００ｃが端末グループを形成して着信通知を転送する処理の一連の流れを示す。また、携帯端末１００ａ〜１００ｃは、本実施例に係る携帯端末１００と同様の機能を有するものとする。
【０１０７】
図１９に示すように、携帯端末１００ａ〜１００ｃは、それぞれ、電源がＯＮとなると、予め定められたＤＲＸ周期で基地局１０からの着信通知を間欠受信する。携帯端末１００ａ〜１００ｃは、前回の間欠受信を行ってから次回の間欠受信を行うまでの期間に、近距離無線通信の受信モード（以下「スレーブモード」という）に設定される。そして、携帯端末１００ａは、任意の回数だけ間欠受信を行うと、近距離無線通信の送信モード（以下「マスターモード」という）に切り替わる。
【０１０８】
そして、マスターモードとなった携帯端末１００ａは、近距離無線通信を用いて、周辺に存在する携帯端末１００ｂ、１００ｃを周辺端末として認識する。
【０１０９】
具体的には、マスターモードとなった携帯端末１００ａは、近距離無線通信を用いて、周辺端末を探索するための周辺端末探索通知を送信する。周辺端末探索通知を受信した携帯端末１００ｂ、１００ｃは、その応答である周辺端末応答を携帯端末１００ａに対して送信する。周辺端末応答を受信した携帯端末１００ａは、暗号化に用いられる暗号鍵を含む暗号鍵交換通知を携帯端末１００ｂ、１００ｃと交換する。暗号鍵を交換した携帯端末１００ａは、暗号鍵を用いて暗号化した固有の識別子であるＩＭＳＩを含むＩＭＳＩ交換通知を携帯端末１００ｂ、１００ｃと交換する。ＩＭＳＩを交換した携帯端末１００ａは、交換したＩＭＳＩで識別される携帯端末１００ｂ、１００ｃを周辺端末として認識する。これにより、周辺端末である携帯端末１００ｂ、１００ｃと携帯端末１００ａとが属する端末グループが形成される。
【０１１０】
その後、携帯端末１００ａは、端末グループに属する携帯端末１００ｂ、１００ｃおよび自端末が基地局１０からの着信通知を順番に受信する受信順序を決定する。ここでは、携帯端末１００ａは、携帯端末１００ａ、１００ｂ、１００ｃをそれぞれ１番、２番、３番とする受信順序を決定したものとする。そして、携帯端末１００ａは、決定した受信順序を含む受信順序通知を周辺端末である携帯端末１００ｂ、１００ｃに対して送信する。これにより、端末グループに属する携帯端末１００ａ〜１００ｃでは、基地局１０からの着信通知を順番に受信する受信順序が共有される。
【０１１１】
そして、端末グループに属する携帯端末１００ａ〜１００ｃは、図２０に示されるように、共有される受信順序で基地局１０からの着信通知を受信する。すなわち、携帯端末１００ａが１番目に基地局１０からの着信通知を受信する。しかし、基地局１０からの着信通知がなかったため、携帯端末１００ａは、基地局１０から発せられる電波の受信レベルを測定し、その測定結果を含む着信なし通知を周辺端末である携帯端末１００ｂ、１００ｃに送信する。着信なし通知を受信した携帯端末１００ｂ、１００ｃは、Ａｃｋ通知を携帯端末１００ａに送信する。
【０１１２】
次いで、携帯端末１００ｂが２番目に基地局１０からの着信通知を受信する。しかし、基地局１０からの着信通知がなかったため、携帯端末１００ｂは、基地局１０から発せられる電波の受信レベルを測定し、その測定結果を含む着信なし通知を周辺端末である携帯端末１００ａ、１００ｃに送信する。着信なし通知を受信した携帯端末１００ａ、１００ｃは、Ａｃｋ通知を携帯端末１００ｂに送信する。
【０１１３】
次いで、携帯端末１００ｃが３番目に基地局１０からの着信通知を受信する。しかし、基地局１０からの着信通知がなかったため、携帯端末１００ｃは、基地局１０から発せられる電波の受信レベルを測定し、その測定結果を含む着信なし通知を周辺端末である携帯端末１００ａ、１００ｂに送信する。着信なし通知を受信した携帯端末１００ａ、１００ｂは、Ａｃｋ通知を携帯端末１００ｃに送信する。
【０１１４】
そして、端末グループに属する全ての携帯端末１００ａ〜１００ｃが間欠受信を行ったので、受信順序が１番目である携帯端末１００ａが、基地局１０からの着信通知を再度受信する。そして、携帯端末１００ａは、受信された着信通知の着信先が周辺端末である携帯端末１００ｂであったため、当該の着信通知を着信先となる携帯端末１００ｂに対して転送する。そして、着信通知を受信した携帯端末１００ｂは、基地局１０に対する着信処理を実行する。これにより、携帯端末１００ｂの利用者は、携帯端末１００ｂへの着信通知に対する通話を開始することができる。
【０１１５】
また、上記の図２０の説明では、携帯端末１００ａにより受信された着信通知の着信先が周辺端末である場合を説明したが、携帯端末１００ａにより受信された着信通知の着信先が自端末である場合も想定される。図２１では、携帯端末１００ａにより受信された着信通知の着信先が自端末である例について説明する。
【０１１６】
図２１に示すように、携帯端末１００ａは、端末グループに属する全ての携帯端末１００ａ〜１００ｃが間欠受信を行った後に、基地局１０からの着信通知を再度受信する。そして、携帯端末１００ａは、受信された着信通知の着信先が自端末であったため、周辺端末に対して携帯端末１００ａが端末グループを離脱する旨をグループ離脱通知を用いて通知する。そして、携帯端末１００ａは、着信なし通知を周辺端末である携帯端末１００ｂ、１００ｃに送信する。着信なし通知を受信した携帯端末１００ｂ、１００ｃは、Ａｃｋ通知を携帯端末１００ａに送信する。
【０１１７】
Ａｃｋ通知を受信した携帯端末１００ａは、端末グループから自端末を除外し、自端末を除外した端末グループに属する携帯端末１００ｂ、１００ｃが基地局１０からの着信通知を順番に受信する受信順序を新たに決定する。ここでは、携帯端末１００ａは、携帯端末１００ｂ、１００ｃをそれぞれ１番、２番とする受信順序を新たに決定したものとする。
【０１１８】
そして、携帯端末１００ａは、新たに決定した受信順序を含む受信順序通知を周辺端末である携帯端末１００ｂ、１００ｃに対して送信する。これにより、端末グループに属する携帯端末１００ｂ、１００ｃでは、基地局１０からの着信通知を順番に受信する新たな受信順序が共有される。
【０１１９】
そして、着信通知を受信した携帯端末１００ａは、基地局１０に対する着信処理を実行する。これにより、携帯端末１００ａの利用者は、携帯端末１００ａへの着信通知に対する通話を開始することができる。
【０１２０】
また、上記の図１９の説明では、携帯端末１００ａ〜１００ｃが属する端末グループが形成される場合を説明したが、一度形成された端末グループが何らかの理由で解散される場合も想定される。図２２では、一度形成された端末グループが解散される例について説明する。
【０１２１】
図２２に示すように、端末グループに属する携帯端末１００ａ〜１００ｃは、図２２に示されるように、共有される受信順序で基地局１０からの着信通知を受信する。すなわち、携帯端末１００ａが１番目に基地局１０からの着信通知を受信する。しかし、基地局１０からの着信通知がなかったため、携帯端末１００ａは、基地局１０から発せられる電波の受信レベルを測定し、その測定結果を含む着信なし通知を周辺端末である携帯端末１００ｂ、１００ｃに送信する。着信なし通知を受信した携帯端末１００ｂ、１００ｃは、Ａｃｋ通知を携帯端末１００ａに送信する。
【０１２２】
次いで、携帯端末１００ｂが２番目に基地局１０からの着信通知を受信する。しかし、基地局１０からの着信通知がなかったため、携帯端末１００ｂは、基地局１０から発せられる電波の受信レベルを測定し、その測定結果を含む着信なし通知を周辺端末である携帯端末１００ａ、１００ｃに送信する。
【０１２３】
着信なし通知を受信した携帯端末１００ａ、１００ｃは、Ａｃｋ通知を携帯端末１００ｂに送信する。このとき、携帯端末１００ｃは、携帯端末１００ａ、１００ｂと間で近距離無線通信が行えなくなったものとする。この場合には、携帯端末１００ｂは、携帯端末１００ｃからのＡｃｋ通知を受信することができない。このため、携帯端末１００ｂは、Ａｃｋ通知を受信できなかった携帯端末１００ｃを端末グループから除外し、携帯端末１００ｃを除外した端末グループに属する携帯端末１００ａ、１００ｂが基地局１０からの着信通知を順番に受信する受信順序を新たに決定する。ここでは、携帯端末１００ｂは、携帯端末１００ｂ、１００ａをそれぞれ１番、２番とする受信順序を新たに決定したものとする。
【０１２４】
そして、携帯端末１００ｂは、新たに決定した受信順序を含む受信順序通知を周辺端末である携帯端末１００ａに対して送信する。これにより、端末グループに属する携帯端末１００ａ、１００ｃでは、基地局１０からの着信通知を順番に受信する新たな受信順序が共有される。
【０１２５】
そして、端末グループに属する携帯端末１００ａ、１００ｃは、共有される受信順序で基地局１０からの着信通知を受信する。すなわち、携帯端末１００ｂが１番目に基地局１０からの着信通知を受信する。しかし、基地局１０からの着信通知がなかったため、携帯端末１００ｂは、基地局１０から発せられる電波の受信レベルを測定し、その測定結果を含む着信なし通知を周辺端末である携帯端末１００ａに送信する。このとき、携帯端末１００ｂは、基地局１０のセルから他の基地局のセルにハンドオーバしており、電波の受信レベルが閾値以下となっているものとする。この場合には、携帯端末１００ｂは、電波の受信レベルが異常である旨の測定結果を含む着信なし通知を周辺端末である携帯端末１００ａに送信する。これにより、携帯端末１００ａ〜１００ｃにより形成された端末グループが解散される。その結果、携帯端末１００ａ〜１００ｃは、それぞれ、予め定められたＤＲＸ周期で基地局１０からの着信通知を間欠受信する。
【０１２６】
また、上記の図２０および図２１の説明では、端末グループに属する携帯端末１００ａ〜１００ｃが着信通知を転送する場合を説明したが、端末グループに属する携帯端末１００ａ〜１００ｃが報知情報を転送するようにしてもよい。図２３では、端末グループに属する携帯端末１００ａ〜１００ｃが報知情報を転送する例について説明する。
【０１２７】
図２３に示すように、端末グループに属する携帯端末１００ａ〜１００ｃは、共有される受信順序で基地局１０からの着信通知を受信する。すなわち、携帯端末１００ａが１番目に基地局１０からの着信通知を受信する。このとき、携帯端末１００ａは、緊急性を示すメッセージが基地局１０に配信された旨を報知する報知情報を受信したものとする。報知情報は、緊急性を示すメッセージがＣＢＳメッセージである場合には、ＢＣＣＨ  Ｍｏｄｉｆｉｃａｔｉｏｎ情報を指す。また、報知情報は、緊急性を示すメッセージがＥＴＷＳメッセージである場合には、Ｐｒｉｍａｒｙ  Ｎｏｔｉｆｉｃａｔｉｏｎ情報を指す。
【０１２８】
そして、報知情報を受信した携帯端末１００ａは、受信した報知情報を周辺端末である携帯端末１００ｂ、１００ｃに対して一斉に送信する。その後、携帯端末１００ａ〜１００ｃは、それぞれ、基地局１０に配信された緊急性を示すメッセージを受信するためのメッセージ受信処理を行う。例えば、携帯端末１００ａ〜１００ｃは、それぞれ、基地局１０によりＣＴＣＨ上に送信されるＣＢＳメッセージまたはＥＴＷＳメッセージを受信する。これにより、大災害が発生した場合に、同一の基地局のセルに在圏する複数の携帯端末のユーザが緊急性を示すメッセージを迅速に取得することができる。
【０１２９】
また、上記の図２３の説明では、端末グループに属する携帯端末１００ａ〜１００ｃが報知情報を転送する場合を説明したが、端末グループに属する携帯端末１００ａ〜１００ｃが報知情報および緊急性を示すメッセージを転送するようにしてもよい。図２４では、端末グループに属する携帯端末１００ａ〜１００ｃが報知情報および緊急性を示すメッセージを転送する例について説明する。
【０１３０】
図２４に示すように、端末グループに属する携帯端末１００ａ〜１００ｃは、共有される受信順序で基地局１０からの着信通知を受信する。すなわち、携帯端末１００ａは、緊急性を示すメッセージが基地局１０に配信された旨を報知する報知情報を受信したものとする。
【０１３１】
そして、報知情報を受信した携帯端末１００ａは、受信した報知情報を周辺端末である携帯端末１００ｂ、１００ｃに対して一斉に送信する。その後、携帯端末１００ａは、基地局１０に配信された緊急性を示すメッセージを受信するためのメッセージ受信処理を行う。緊急性を示すメッセージを受信した携帯端末１００ａは、受信したメッセージを周辺端末１００ｂ、１００ｃに対して一斉に送信する。これにより、大災害が発生した場合に、同一の基地局のセルに在圏する複数の携帯端末のユーザが緊急性を示すメッセージを迅速に取得することができる。
【０１３２】
上述してきたように、本実施例に係る携帯端末１００は、周辺に存在する周辺端末を認識し、認識した周辺端末と協働して順番に基地局１０からの着信通知を受信し、着信通知の着信先が周辺端末である場合に、着信通知を周辺端末に対して転送する。このため、本実施例に係る携帯端末１００は、基地局１０からの着信通知を受信する際に必要とされる消費電力を周辺端末と分担することができ、消費電力の低減を図りつつ着信通知を迅速に取得することができる。
【０１３３】
また、本実施例に係る携帯端末１００は、周辺に存在しなくなった不在端末を周辺端末から定期的に除外し、不在端末を除外した最新の受信順序を再決定する。このため、本実施例に係る携帯端末１００は、不在端末を除外した最新の受信順序で着信通知を受信することができ、着信通知をより迅速に取得することができる。
【０１３４】
また、本実施例に係る携帯端末１００は、着信通知を受信する際に、緊急性を示すメッセージが基地局に配信された旨を報知する報知情報を受信して周辺端末に対して一斉に転送する。このため、本実施例に係る携帯端末１００は、大災害が発生した場合に、同一の基地局のセルに在圏する複数の携帯端末に対して緊急性を示す情報を一斉に伝えることができる。
【０１３５】
また、本実施例に係る携帯端末１００は、近距離無線通信を用いて周辺端末を認識する。このため、本実施例に係る携帯端末１００は、携帯端末に搭載される既存の近距離無線通信機能を用いて周辺端末を容易に認識することができる。
【０１３６】
また、本実施例に係る携帯端末１００は、近距離無線通信を用いて着信通知を周辺端末に対して転送する。このため、本実施例に係る携帯端末１００は、無線通信部により行われる無線通信と比較して消費電力が小さい近距離無線通信を用いて着信通知を転送することができ、消費電力をより一層低減することができる。
【０１３７】
［プログラム］
また、上記実施例で説明したメイン処理、グループ形成処理、周辺端末応答受信処理、グループ受信処理およびグループ通知処理などの各種の処理は、あらかじめ用意されたプログラムをコンピュータで実行することによって実現することができる。そこで、以下では、図２５を参照して、上記実施例で説明した各種の処理を実行する機能を有する携帯端末制御プログラムを実行するコンピュータについて、携帯端末を例に説明する。
【０１３８】
図２５は、携帯端末制御プログラムを実行する携帯端末のハードウェア構成図である。図２５に示すように、携帯端末１０００は、アンテナ１０１０、無線通信部１０２０、表示部１０３０、音声入出力部１０４０、マイク１０４１、スピーカ１０４２、キー入力部１０５０および近距離無線通信部１０６０を有する。また、携帯端末１０００は、記憶部１０７０およびプロセッサ１０８０を有する。
【０１３９】
無線通信部１０２０、表示部１０３０、音声入出力部１０４０、キー入力部１０５０、近距離無線通信部１０６０および記憶部１０７０は、プロセッサ１０８０と接続される。また、アンテナ１０１０は、無線通信部１０２０と接続される。また、マイク１０４１及びスピーカ１０４２は、音声入出力部１０４０と接続される。
【０１４０】
無線通信部１０２０は、例えば、図２に示した無線通信部１３０に対応する。表示部１０３０は、例えば、図２に示した出力部１２０に対応する。音声入出力部１０４０、マイク１０４１及びスピーカ１０４２は、他の携帯端末などから受信した音声の出力及び操作者の声などを収集しプロセッサ１０８０に対して入力する。キー入力部１０５０は、例えば、操作キーなどであり、例えば、図２に示した入力部１１０に対応する。
【０１４１】
記憶部１０７０およびプロセッサ１０８０は、図２に示した周辺端末認識部１６１、受信順序決定部１６２、着信通知受信部１６３、着信通知転送部１６４および端末グループ情報テーブル１５１などの機能を実現する。具体的には、記憶部１０７０のプログラム記憶部１０７１は、図２に示した周辺端末認識部１６１、受信順序決定部１６２、着信通知受信部１６３および着信通知転送部１６４などによる処理を実現する携帯端末制御プログラムなどの各種プログラムを記憶する。そして、プロセッサ１０８０は、これらのプログラムを読み出してＲＡＭ１０７３上で実行することで、上述の各機能を実現するプロセスを生成する。また、データ記憶部１０７２は、例えば、図２に示した端末グループ情報テーブル１５１などを記憶する。
【符号の説明】
【０１４２】
１０  基地局
１０ａ  セル
１００、１００ａ〜１００ｎ  携帯端末
１１０  入力部
１２０  出力部
１３０  無線通信部
１４０  近距離無線通信部
１５０  記憶部
１５１  端末グループ情報テーブル
１６０  制御部
１６１  周辺端末認識部
１６２  受信順序決定部
１６３  着信通知受信部
１６４  着信通知転送部
１０００  携帯端末
１０１０  アンテナ
１０２０  無線通信部
１０３０  表示部
１０４０  音声入出力部
１０４１  マイク
１０４２  スピーカ
１０５０  キー入力部
１０６０  近距離無線通信部
１０７０  記憶部
１０７１  プログラム記憶部
１０７２  データ記憶部
１０７３  ＲＡＭ
１０８０  プロセッサ
【図１】
0005879784.tif 000002
【図２】
0005879784.tif 000003
【図３】
0005879784.tif 000004
【図４】
0005879784.tif 000005
【図５】
0005879784.tif 000006
【図６】
0005879784.tif 000007
【図７】
0005879784.tif 000008
【図８】
0005879784.tif 000009
【図９】
0005879784.tif 000010
【図１０】
0005879784.tif 000011
【図１１】
0005879784.tif 000012
【図１２】
0005879784.tif 000013
【図１３】
0005879784.tif 000014
【図１４】
0005879784.tif 000015
【図１５】
0005879784.tif 000016
【図１６】
0005879784.tif 000017
【図１７】
0005879784.tif 000018
【図１８】
0005879784.tif 000019
【図１９】
0005879784.tif 000020
【図２０】
0005879784.tif 000021
【図２１】
0005879784.tif 000022
【図２２】
0005879784.tif 000023
【図２３】
0005879784.tif 000024
【図２４】
0005879784.tif 000025
【図２５】
0005879784.tif 000026